【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
1つまたは複数の符号化ビデオピクチャを生成するためにビデオデータの1つまたは複数の現在ブロックを符号化する方法であって、
エンコーダにおいてビデオデータを取得するステップと、
前記ビデオデータの少なくとも1つのブロックにおいてイントラピクチャ予測を実行するためにイントラブロックコピー予測が有効にされているかどうかを決定するステップであって、前記イントラブロックコピー予測が、ブロックベクトルによって識別されるスライスまたはピクチャ、同じコーディングユニット内の別のブロックに基づいて現在ブロックを予測するものである、ステップと、
前記1つまたは複数の現在ブロックとして、スライスまたはピクチャ、前記コーディングユニット内の前記ビデオデータの双予測ブロックの両方の動きベクトルが非整数精度であるかどうかを決定するステップと、
前記ビデオデータの前記1つまたは複数の現在ブロックを符号化することに関してインターピクチャ双予測を無効にするステップであって、前記インターピクチャ双予測が、前記イントラブロックコピー予測が有効にされているという決定、および前記双予測ブロックの両方の動きベクトルが非整数精度であるという決定に応答して無効にされる、ステップと、
予測モードを使用して前記1つまたは複数の符号化ビデオピクチャを生成するステップとを備える、
方法。
【請求項２】
前記方法は、前記双予測ブロックの両方の動きベクトルが同一でないかまたは同じ参照ピクチャを指していないと決定するステップをさらに備え、
無効にするステップが、前記イントラブロックコピー予測が有効にされているという決定、前記双予測ブロックの両方の動きベクトルが非整数精度であるという決定、および前記双予測ブロックの両方の動きベクトルが同一でないかまたは前記同じ参照ピクチャを指していないという決定に応答して、前記ビデオデータの前記1つまたは複数の現在ブロックを符号化することに関して前記インターピクチャ双予測を無効にするステップを含む、
請求項１に記載の方法。
【請求項３】
前記方法は、動きベクトル分解能フラグの値が0に等しいと決定するステップをさらに備え、前記動きベクトル分解能フラグが、インター予測モードのために使用される動きベクトルの分解能を規定し、前記動きベクトルが分数ピクセル精度を有することができる場合、前記動きベクトル分解能フラグは0に等しく、
無効にするステップが、前記イントラブロックコピー予測が有効にされているという決定、前記双予測ブロックの両方の動きベクトルが非整数精度であるという決定、および前記動きベクトル分解能フラグの前記値が0に等しいという決定に応答して、前記ビデオデータの前記1つまたは複数のブロックを符号化することに関して前記インターピクチャ双予測を無効にするステップを含む、
請求項１に記載の方法。
【請求項４】
前記ビデオデータがピクチャのスライスを備え、前記スライスが複数のブロックを含み、無効にするステップが、前記スライスの前記複数のブロックを符号化することに関して前記インターピクチャ双予測を無効にするステップを含む、
請求項１に記載の方法。
【請求項５】
前記双予測ブロックが8×8双予測ブロックを含む、
請求項１に記載の方法。
【請求項６】
しきい値サイズよりも小さい予測ブロックを符号化することに関して前記インターピクチャ双予測が無効にされる、
請求項１に記載の方法。
【請求項７】
前記しきい値サイズが、8×8ピクセルの予測ブロックサイズを含む、
請求項６に記載の方法。
【請求項８】
1つまたは複数の符号化ビデオピクチャを生成するためにビデオデータの1つまたは複数の現在ブロックを符号化する装置であって、前記装置が、
ビデオデータを記憶するように構成されたメモリと、
プロセッサとを備え、前記プロセッサが、
エンコーダにおいてビデオデータを取得することと、
前記ビデオデータの少なくとも1つのブロックにおいてイントラピクチャ予測を実行するためにイントラブロックコピー予測が有効にされているかどうかを決定することであって、前記イントラブロックコピー予測が、ブロックベクトルによって識別されるスライスまたはピクチャ、同じコーディングユニット内の別のブロックに基づいて現在ブロックを予測するものである、ことと、
前記1つまたは複数の現在ブロックとして、スライスまたはピクチャ、同じコーディングユニット内の前記ビデオデータの双予測ブロックの両方の動きベクトルが非整数精度であるかどうかを決定することと、
前記ビデオデータの前記1つまたは複数の現在ブロックを符号化することに関してインターピクチャ双予測を無効にすることであって、前記インターピクチャ双予測が、前記イントラブロックコピー予測が有効にされているという決定、および前記双予測ブロックの両方の動きベクトルが非整数精度であるという決定に応答して無効にされる、ことと、
予測モードを使用して1つまたは複数の符号化ビデオピクチャを生成することとを行うように構成される、
装置。
【請求項９】
前記プロセッサが、
前記双予測ブロックの両方の動きベクトルが同一でないかまたは同じ参照ピクチャを指していないと決定するようにさらに構成され、
無効にすることが、前記イントラブロックコピー予測が有効にされているという決定、前記双予測ブロックの両方の動きベクトルが非整数精度であるという決定、および前記双予測ブロックの両方の動きベクトルが同一でないかまたは前記同じ参照ピクチャを指していないという決定に応答して、前記ビデオデータの前記1つまたは複数の現在ブロックを符号化することに関して前記インターピクチャ双予測を無効にすることを含む、
請求項８に記載の装置。
【請求項１０】
前記プロセッサが、
動きベクトル分解能フラグの値が0に等しいと決定するようにさらに構成され、前記動きベクトル分解能フラグが、インター予測モードのために使用される動きベクトルの分解能を規定し、前記動きベクトルが分数ピクセル精度を有することができる場合、前記動きベクトル分解能フラグは0に等しく、
無効にすることが、前記イントラブロックコピー予測が有効にされているという決定、前記双予測ブロックの両方の動きベクトルが非整数精度であるという決定、および前記動きベクトル分解能フラグの前記値が0に等しいという決定に応答して、前記ビデオデータの前記1つまたは複数の現在ブロックを符号化することに関して前記インターピクチャ双予測を無効にすることを含む、
請求項８に記載の装置。
【請求項１１】
前記ビデオデータがピクチャのスライスを備え、前記スライスが複数のブロックを含み、無効にすることが、前記スライスの前記複数のブロックを符号化することに関して前記インターピクチャ双予測を無効にすることを含む、
請求項８に記載の装置。
【請求項１２】
前記双予測ブロックが8×8双予測ブロックを含む、
請求項８に記載の装置。
【請求項１３】
しきい値サイズよりも小さい予測ブロックを符号化することに関して前記インターピクチャ双予測が無効にされる、請求項８に記載の装置。
【請求項１４】
前記しきい値サイズが、8×8ピクセルの予測ブロックサイズを含む、
請求項１３に記載の装置。
【請求項１５】
プロセッサによって実行されたとき、請求項１〜７のいずれか一項に記載の方法を実行するための命令を記録しているコンピュータ可読記録媒体。